(57)【要約】【課題】サウンドホールの開口量を簡単に調整することができる開口量調整装置を提供する。【解決手段】開口量調整装置１０は、例えば、ギター等の弦楽器に開口されている音を発するサウンドホールに設けられ、サウンドホールの開口部の開口量を変更可能に移動する可動部材１２と、これを操作する操作部材１３とを備える。これにより、従来は困難であった音量の調整を容易に行うことができ、また、音量や音色を演奏中に変化させることが可能となる。【選択図】図２
2022001909.tif 000002
【特許請求の範囲】
【請求項１】
音を発するサウンドホールに設けられ、前記サウンドホールの開口部の開口量を変更可能に移動する可動部材を備える開口量調整装置。
【請求項２】
請求項１に記載の開口量調整装置において、
前記可動部材を操作する操作部材を備えること、
を特徴とする開口量調整装置。
【請求項３】
請求項２に記載の開口量調整装置において、
前記操作部材は、着脱自在であること、
を特徴とする開口量調整装置。
【請求項４】
請求項１から請求項３までのいずれかに記載の開口量調整装置において、
当該開口量調整装置は、既存のサウンドホールに後付け可能であること、
を特徴とする開口量調整装置。
【発明の詳細な説明】
【技術分野】
【０００１】
本発明は、サウンドホールに設けられる開口量調整装置に関するものである。
【背景技術】
【０００２】
ギター等の弦楽器には、サウンドホールと呼ばれる開口部が設けられており、このサウンドホールから発せられる音量が他の部分から発せられる音量よりも大きい場合が多い。また、カホン等の打楽器においても、サウンドホールが設けられている場合がある。さらに、楽器に限らず、スピーカーにおいても、音響効果を調整するため等の目的でサウンドホールが設けられている場合がある。
【０００３】
特許文献１には、ギターのサウンドホールに装着する事により演奏時の音量を低減する蓋が開示されている。
しかし、特許文献１の蓋では、音量の細かい調整を行うことができなかった。また、例えば、演奏中に音量を調整することも難しかった。
【先行技術文献】
【特許文献】
【０００４】
【特許文献１】特開２００８−２０９８７１号公報
【発明の概要】
【発明が解決しようとする課題】
【０００５】
本発明の課題は、サウンドホールの開口量を簡単に調整することができる開口量調整装置を提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
【０００７】
第１の発明は、音を発するサウンドホール（２）に設けられ、前記サウンドホール（２）の開口部の開口量を変更可能に移動する可動部材（１２、２２、３２）を備える開口量調整装置（１０、２０、３０）である。
【０００８】
第２の発明は、第１の発明に記載の開口量調整装置（１０、２０、３０）において、前記可動部材（１２、２２、３２）を操作する操作部材（１３、２３、３６、３７）を備えること、を特徴とする開口量調整装置（１０、２０、３０）である。
【０００９】
第３の発明は、第２の発明に記載の開口量調整装置（３０）において、前記操作部材（３６、３７）は、着脱自在であること、を特徴とする開口量調整装置（３０）である。
【００１０】
第４の発明は、第１の発明から第３の発明までのいずれかに記載の開口量調整装置（２０、３０）において、当該開口量調整装置（２０、３０）は、既存のサウンドホール（２）に後付け可能であること、を特徴とする開口量調整装置（２０、３０）である。
【発明の効果】
【００１１】
本発明によれば、サウンドホールの開口量を簡単に調整することができる開口量調整装置を提供することができる。
【図面の簡単な説明】
【００１２】
【図１】本発明による開口量調整装置１０を用いたギター１の第１実施形態を示す図である。
【図２】第１実施形態の開口量調整装置１０の斜視図である。
【図３】第１実施形態の開口量調整装置１０を斜め前方から見た分解斜視図である。
【図４】第１実施形態の開口量調整装置１０を斜め後方から見た分解斜視図である。
【図５】閉状態における可動部材１２を示す図である。
【図６】閉状態と開状態との中間位置における可動部材１２を示す図である。
【図７】開状態における可動部材１２を示す図である。
【図８】第２実施形態の開口量調整装置２０の斜視図である。
【図９】第２実施形態の開口量調整装置２０の側面図である。
【図１０】第２実施形態の開口量調整装置２０を斜め前方から見た分解斜視図である。
【図１１】第２実施形態の開口量調整装置２０を斜め後方から見た分解斜視図である。
【図１２】第２実施形態の開口量調整装置２０をギター１のサウンドホール２に取り付けた状態の部分断面図である。
【図１３】閉状態における可動部材２２を示す図である。
【図１４】閉状態と開状態との中間位置における可動部材２２を示す図である。
【図１５】開状態における可動部材２２を示す図である。
【図１６】磁石Ｍを利用して開口量調整装置２０をサウンドホール２に対して着脱自在とする構成である。
【図１７】ビスＢを前側から用いて開口量調整装置２０をサウンドホール２に対して着脱自在とする構成である。
【図１８】ビスＢを後側から用いて開口量調整装置２０をサウンドホール２に対して着脱自在とする構成である。
【図１９】開口量調整装置２０にサウンドホール２の大きさと対応する雄ねじ形状２０ａを設ける取り付け形態を示す図である。
【図２０】バヨネットマウントを応用した形状により開口量調整装置２０をサウンドホール２に対して着脱自在とする構成を示す斜視図である。
【図２１】ギターの前面板が曲面である場合に開口量調整装置２０を取り付ける形態を説明する図である。
【図２２】可動部材１０１がスライド移動する形態を示す図である。
【図２３】２枚の可動部材１０２、１０３がスライド移動する形態を示す図である。
【図２４】可動部材１０４が回動する形態を示す図である。
【図２５】複数のルーバー状の可動部材１０５が回動する形態を示す図である。
【図２６】第３実施形態の開口量調整装置３０を斜め前方から見た分解斜視図である。
【発明を実施するための形態】
【００１３】
以下、本発明を実施するための最良の形態について図面等を参照して説明する。
【００１４】
（第１実施形態）
図１は、本発明による開口量調整装置１０を用いたギター１の第１実施形態を示す図である。
なお、図１を含め、以下に示す各図は、模式的に示した図であり、各部の大きさ、形状は、理解を容易にするために、適宜誇張したり、省略したりして示している。
また、以下の説明では、具体的な数値、形状、材料等を示して説明を行うが、これらは、適宜変更することができる。
なお、以下の説明では、図１に示す正面側を前、その反対側を後として説明を行う。
【００１５】
図１に示すように、ギター１は、アコースティックギターである。ギター１の前面側には、サウンドホール２が開口されており、このサウンドホール２の開口部には、開口量調整装置１０が取り付けられている。なお、図１では、開口量調整装置１０が完全に閉じた閉状態を示している。
【００１６】
図２は、第１実施形態の開口量調整装置１０の斜視図である。
図３は、第１実施形態の開口量調整装置１０を斜め前方から見た分解斜視図である。
図４は、第１実施形態の開口量調整装置１０を斜め後方から見た分解斜視図である。
第１実施形態の開口量調整装置１０は、カム部材１１と、可動部材１２と、操作部材１３と、カバー部材１４とを備えている。これら開口量調整装置１０を構成する各部材は、樹脂、金属、木材等の材料から適宜作成可能であるが、例えば、ポリアセタール樹脂を用いると、摺動性を良好にできることから、耐摩耗性に優れ、かつ、成形が容易であることから望ましい。
【００１７】
カム部材１１は、略円環形状に形成されており、前面側にカム溝１１ａが設けられている。本実施形態では、後述の可動部材１２の数と同数の１０個のカム溝１１ａが設けられている。
【００１８】
可動部材１２は、略四角形形状の板状部材により構成されており、同じ形状のものが１０枚設けられている。可動部材１２の後面側には、カムピン１２ａが突出している。このカムピン１２ａは、カム溝１１ａと嵌合している。可動部材１２の前面側には、ガイドリブ１２ｂが突出している。このガイドリブ１２ｂは、後述の操作部材１３のガイド溝１３ａと嵌合している。また、本実施形態の可動部材１２は、発音時に可動部材１２自体が振動して異音が発生することを抑制するために、２ｍｍ程度の厚さを有して構成されている。
【００１９】
操作部材１３は、略円環状に形成されており、可動部材１２をカム部材１１との間で挟んで配置されている。操作部材１３の後面側には、ガイド溝１３ａが可動部材１２の数と同数の１０個設けられている。また、操作部材１３の前面側には、操作つまみ部１３ｂが突出しており、操作を容易にしている。操作部材１３は、回転可能であって、利用者の操作によって回転させられる。
【００２０】
カバー部材１４は、略円環状に形成されており、可動部材１２と操作部材１３とを、カム部材１１との間で挟んで配置されている。カバー部材１４とカム部材１１とは、不図示のビスによって固定されている。
【００２１】
上記構成の開口量調整装置１０は、カバー部材１４の接合面１４ａがギター１の前面版の内壁面に接着材、又は、両面テープを用いて固定されている。
【００２２】
図５は、閉状態における可動部材１２を示す図である。
図６は、閉状態と開状態との中間位置における可動部材１２を示す図である。
図７は、開状態における可動部材１２を示す図である。
なお、図５から図７は、説明に必要な部構成を適宜選択して透視した形態で示している。
操作部材１３が利用者によって操作されると、ガイド溝１３ａがガイドリブ１２ｂを押すので、図５から図７に示すように、可動部材１２が移動する。可動部材１２の移動は、ガイド溝１３ａ及びカム溝１１ａによって規制されているので、所定の軌跡上を移動して、開状態から閉状態の間で移動可能である。また、利用者が操作部材１３を任意の位置に止めることにより、可動部材１２によって形成されるサウンドホールの開口量を、任意の開口量に設定することができる。
【００２３】
以上説明したように、第１実施形態では、ギター１のサウンドホールに開口量調整装置１０を設けたので、サウンドホールの大きさを大きくしたり、小さくしたり、塞いだりすることができ、様々な音色を作ることができる。また、演奏中にもサウンドホールの開口量を可変させることができるので、奏者にとっての演奏の表現や、演奏技巧の多様化を実現できる。サウンドホールを全開の時は、低音が豊かで太い音を出すことができ、弦の倍音や雑味は薄く感じる傾向となる。また、サウンドホールを全閉すると音圧は下がるが、琵琶等元々サウンドホールのない楽器のように強いインパクトのある音を発することができる。また、単純に穴を塞ぐだけの蓋とは異なり、全開か全閉だけではなく、少しだけ低音を出すこともできる。よって、これまでの楽器では出せなかった音色や表現、演奏技巧の多様化に繋がり、奏者や聴衆に新しい体験をもたらすことができる。
【００２４】
（第２実施形態）
図８は、第２実施形態の開口量調整装置２０の斜視図である。
図９は、第２実施形態の開口量調整装置２０の側面図である。
第２実施形態の開口量調整装置２０は、第１実施形態の開口量調整装置１０と同様にギターのサウンドホール（開口部）に取り付けられるものである。第１実施形態の開口量調整装置１０は、ギター１の内面側に取り付けられている構成であり、ギター１の製造時に取り付けられているものであった。これに対して、第２実施形態の開口量調整装置２０は、ギター１に対して着脱自在な構成としたものであり、既存のギター（開口量調整装置が設けられていない従来市販されているギター）１のサウンドホールに後から取り付けたり、取り外したりできるものである。
【００２５】
第２実施形態の開口量調整装置２０は、基本的には、第１実施形態と同様な構成をしている。よって、前述した第１実施形態と同様の機能を果たす部分には、末尾に同一の符号を付して、重複する説明を適宜省略する。
【００２６】
図１０は、第２実施形態の開口量調整装置２０を斜め前方から見た分解斜視図である。
図１１は、第２実施形態の開口量調整装置２０を斜め後方から見た分解斜視図である。
【００２７】
第２実施形態の開口量調整装置２０は、カム部材２１と、可動部材２２と、操作部材２３と、カバー部材２４と、取り付け部材２５とを備えている。
【００２８】
カム部材２１は、第１実施形態のカム部材１１と同様な構成をしており、カム溝２１ａを備えている。
【００２９】
可動部材２２は、第１実施形態の可動部材１２と同様な構成をしており、同じ形状のものが１０枚設けられている。可動部材２２の後面側には、カムピン２２ａが突出している。このカムピン２２ａは、カム溝２１ａと嵌合している。可動部材２２の前面側には、ガイドリブ２２ｂが突出している。このガイドリブ２２ｂは、後述の操作部材２３のガイド溝２３ａと嵌合している。
【００３０】
操作部材２３は、第１実施形態の操作部材１３と同様な構成をしており、可動部材２２をカム部材２１との間で挟んで配置されている。操作部材２３の後面側には、ガイド溝２３ａが可動部材２２の数と同数の１０個設けられている。また、操作部材２３の前面側には、操作つまみ部２３ｂが突出している。操作部材２３は、回転可能であって、利用者の操作によって回転させられる。
【００３１】
カバー部材２４は、略円環状に形成されており、可動部材２２と操作部材２３とを、カム部材２１との間で挟んで配置されている点は、第１実施形態のカバー部材１４と同様な構成である。一方、本実施形態の開口量調整装置２０は、ギター１のサウンドホール２に後から取り付けられるため、カバー部材２４の前側は、操作部材２３と一体感のある外観となっており、意匠性を高めている。
【００３２】
取り付け部材２５は、第２実施形態で新たに設けた部材である。取り付け部材２５は、略円環状に形成されており、カム部材２１の後面に接着剤等により固定されている。また、取り付け部材２５は、可撓性を備えたゴムにより形成されており、後側へ突出したヒレ状の係合形状２５ａを備えている。
【００３３】
図１２は、第２実施形態の開口量調整装置２０をギター１のサウンドホール２に取り付けた状態の部分断面図である。
第２実施形態の開口量調整装置２０は、係合形状２５ａの弾性変形を利用して、ギター１のサウンドホール２に取り付けられる。なお、係合形状２５ａの具体的な形状やゴムの硬度等は、サウンドホール２の大きさやサウンドホール２周辺の板厚に応じて、適宜変更するとよい。
取り付け部材２５を設けたことにより、第２実施形態の開口量調整装置２０は、既存のギター１に対して着脱自在となり、既存のギターにおいても、開口量の調整を可能とすることができる。
【００３４】
図１３は、閉状態における可動部材２２を示す図である。
図１４は、閉状態と開状態との中間位置における可動部材２２を示す図である。
図１５は、開状態における可動部材２２を示す図である。
なお、図１３から図１５は、説明に必要な部構成を適宜選択して透視した形態で示している。
操作部材２３が利用者によって操作されると、図１３から図１５に示すように、可動部材２２が移動し、第１実施形態と同様にして、可動部材２２は、開状態から閉状態の間で移動可能である。また、利用者が操作部材２３を任意の位置にすることにより、可動部材２２によって形成されるサウンドホールの開口量を、任意の開口量に設定することができる。
【００３５】
以上説明したように、第２実施形態では、取り付け部材２５を設けたことにより、第２実施形態の開口量調整装置２０は、既存のギター１に対して着脱自在となり、既存のギターにおいても、開口量の調整を可能とすることができる。すなわち、現在世界市場に流通する既存のアコースティック楽器に第２実施形態の開口量調整装置２０を取り付けることにより、これまでの楽器では出せなかった音色や表現、演奏技巧の多様化に繋がり、奏者や聴衆に新しい体験をもたらすことができる。
また、第２実施形態の開口量調整装置２０は、現在市場に多く流通するアコースティックギターに、楽器自体に大きな改造を必要とせず、楽器の大小に関係なく取り付けることができる。
【００３６】
（第２実施形態の取り付け形態の変形形態）
上述した第２実施形態では、取り付け部材２５のゴムの弾性変形を利用して、開口量調整装置２０を着脱自在とする例を説明した。これに限らず、開口量調整装置２０をサウンドホールに対して着脱自在とする構成は、他の形態を用いることもできる。以下、具体例を挙げて説明する。なお、以下の説明では、開口量調整装置２０として説明するが、開口量調整装置２０には、取り付け部材２５が設けられておらず、その他、取り付け形態に応じて適宜形態が変更されているものとする。
【００３７】
図１６は、磁石Ｍを利用して開口量調整装置２０をサウンドホール２に対して着脱自在とする構成である。
磁石Ｍは、サウンドホール２を通してギター１の内面側に配置される。開口量調整装置２０のカム部材２１を鉄等により作製するか、又は、カム部材２１の後面側に、鉄や磁石等の強磁性体を固定しておくことにより、磁石Ｍを利用して開口量調整装置２０をサウンドホール２に対して着脱自在とすることができる。
【００３８】
図１７は、ビスＢを前側から用いて開口量調整装置２０をサウンドホール２に対して着脱自在とする構成である。
図１８は、ビスＢを後側から用いて開口量調整装置２０をサウンドホール２に対して着脱自在とする構成である。
図１７又は図１８に示すように、ビスＢを用いて開口量調整装置２０をサウンドホール２に対して取り付けてもよい。なお、図１８の場合において、ビスＢを回すことが難しいようなサウンドホール２の大きさの場合には、ビスＢを手で回せるような頭付きのビスＢとしてもよい。
また、上述した例のように、ビスＢをサウンドホール２周囲の部材に食い込ませて固定する形態に限らず、例えば、サウンドホール２周囲の部材に貫通孔を設け、ボルトとナットで開口量調整装置２０を挟み込んで、これを固定する形態としてもよい。
【００３９】
図１９は、開口量調整装置２０にサウンドホール２の大きさと対応する雄ねじ形状２０ａを設ける取り付け形態を示す図である。
図１９に示すように、開口量調整装置２０にサウンドホール２の大きさと対応する雄ねじ形状２０ａを設けることにより、開口量調整装置２０の全体を回転させながらサウンドホール２に雄ねじ形状２０ａをねじ込ませて、開口量調整装置２０にサウンドホール２へ着脱自在とすることができる。ここで、サウンドホール２の周辺の部材は、比較的固い場合が多いので、雄ねじ形状２０ａの部分は、ゴムのような弾性体によってタッピングねじ形状に形成されていることが望ましい。雄ねじ形状２０ａの部分が弾性体によって形成されていることにより、振動板の硬い基材にゴムが追従し、容易に固定が可能となる。
なお、サウンドホール２に雌ねじ形状の追加工を行うことにより、雄ねじ形状２０ａと螺合可能としてもよい。
【００４０】
図２０は、バヨネットマウントを応用した形状により開口量調整装置２０をサウンドホール２に対して着脱自在とする構成を示す斜視図である。
図２０において、取り付け部材２６は、第２実施形態の取り付け部材２５の代わりにカム部材２１に取り付けられているものである。取り付け部材２６の後面側には、爪部２６ａが複数個所設けられている。また、サウンドホール２には、爪部２６ａに対応した位置に切り欠き部２ｂが設けられている。さらにギター１の前面板の内側には、爪部２６ａの回転を規制する突起を取り付ける。このようなバヨネットマウントを応用した形状により開口量調整装置２０をサウンドホール２に対して着脱自在とすることができる。
【００４１】
（第２実施形態の曲面取り付け対応の変形形態）
上記例では、ギター１の前面板が平面であることを前提として説明を行った。しかし、既存のギターでは、前面板が曲面である場合もある。このような場合の取り付け形態について説明する。
図２１は、ギターの前面板が曲面である場合に開口量調整装置２０を取り付ける形態を説明する図である。
図２１に示す例では、第２実施形態の開口量調整装置２０において、カム部材２１と取り付け部材２５との間に、スペーサー２７を設けた。このスペーサー２７は、一方の面がギター１の表面形状に沿った形状になっており、これに合わせて取り付け部材２５も変形する。よって、表面が曲面に形成されたギター１であっても、ガタ無く取り付けが可能である。
【００４２】
（可動部材の変形形態）
上述した例では、可動部材は、撮影レンズにおける絞りのような動作を行う形態を例示した。これに限らず、可動部材は、サウンドホールの開口量を変更できれば、どのような形態であってもよい。以下、その変形形態を例示する。
【００４３】
図２２は、可動部材１０１がスライド移動する形態を示す図である。図２２（ａ）は、閉状態を示し、図２２（ｂ）は、開状態を示している。
図２３は、２枚の可動部材１０２、１０３がスライド移動する形態を示す図である。図２３（ｃ）は、閉状態を示し、図２３（ｄ）は、開状態を示している。
図２４は、可動部材１０４が回動する形態を示す図である。図２４（ａ）は、閉状態を示し、図２４（ｂ）は、開状態を示している。
図２２から図２４のように、簡易的な構成としても、サウンドホールの開口量を任意の量に変更することができる。また、これらの形態では、構造が簡単であることから、より安価に開口量調整装置を提供することができる。
【００４４】
図２５は、複数のルーバー状の可動部材１０５が回動する形態を示す図である。図２５（ａ）は、閉状態を示し、図２５（ｂ）は、開状態を示している。
図２５に示すようなルーバー状の可動部材１０５を用いることにより、サウンドホールの開口量を調整可能であることに加えて、ルーバーの向きによって、音の広がり方向の制御が可能となる。
【００４５】
（第３実施形態）
図２６は、第３実施形態の開口量調整装置３０を斜め前方から見た分解斜視図である。
第３実施形態の開口量調整装置３０は、基本的には、第２実施形態と同様な構成をしている。よって、前述した第２実施形態と同様の機能を果たす部分には、末尾に同一の符号を付して、重複する説明を適宜省略する。
第３実施形態の開口量調整装置３０は、カム部材３１と、可動部材３２と、駆動力伝達部材３３と、カバー部材３４とを備えている。
カム部材３１と、可動部材３２と、カバー部材３４とは、それぞれ、第２実施形態におけるカム部材２１と、可動部材２２と、カバー部材２４と同様な構成をしている。
【００４６】
駆動力伝達部材３３は、略円環形状に形成されており、可動部材３２をカム部材３１との間で挟んで配置されている。駆動力伝達部材３３の後面側には、第２実施形態の操作部材２３の後面側に設けられているガイド溝２３ａと同様なガイド溝（不図示）が可動部材３２の数と同数の１０個設けられている。
駆動力伝達部材３３の前面側には、係合凸部３３ａと、磁石３３ｂとが、それぞれ３つずつ設けられている。なお、これら係合凸部３３ａ及び磁石３３ｂの数は、適宜変更可能である。
係合凸部３３ａと、磁石３３ｂとは、それぞれ、後述の操作部材３６又は操作部材３７の後面側に設けられた不図示の係合凹部と、磁石（又は、強磁性体）とに対応する位置に配置されている。
【００４７】
第３実施形態の開口量調整装置３０は、さらに、操作部材３６又は操作部材３７を選択的に取り付けられる。
操作部材３６は、略円環形状に形成されている。操作部材３６の前面側には、僅かに突出した操作つまみ部３６ａが２箇所設けられている。
操作部材３６の後面側には、駆動力伝達部材３３の係合凸部３３ａと、磁石３３ｂとにそれぞれ対応する位置に、不図示の係合凹部と、磁石（又は、強磁性体）とが配置されている。操作部材３６は、カバー部材３４が取り付けられている状態で前側から駆動力伝達部材３３へ装着可能である。上記構成によって、磁石３３ｂの磁力によって操作部材３６が駆動力伝達部材３３へ着脱自在に取り付け可能となっている。また、係合凸部３３ａと係合凹部との係合によって、操作部材３６の回転駆動力が駆動力伝達部材３３へと伝えられ、駆動力伝達部材３３が回転することができ、可動部材３２が開閉動作を行うことができる。
【００４８】
操作部材３６と同様に操作部材３７は、略円環形状に形成されている。操作部材３７の前面側には、操作部材３６には設けられていない、外径方向に長く延在して突出した操作レバー部３７ａが設けられている。
操作部材３７の後面側には、駆動力伝達部材３３の係合凸部３３ａと、磁石３３ｂとにそれぞれ対応する位置に、不図示の係合凹部と、磁石（又は、強磁性体）とが配置されている。操作部材３７は、カバー部材３４が取り付けられている状態で前側から駆動力伝達部材３３へ装着可能である。上記構成によって、磁石３３ｂの磁力によって操作部材３７が駆動力伝達部材３３へ着脱自在に取り付け可能となっている。また、係合凸部３３ａと係合凹部との係合によって、操作部材３７の回転駆動力が駆動力伝達部材３３へと伝えられ、駆動力伝達部材３３が回転することができ、可動部材３２が開閉動作を行うことができる。
【００４９】
上述の操作部材３６及び操作部材３７は、いずれも簡単に着脱可能であることから、両者を適宜選択して利用することが簡単に行える。上述の操作部材３６及び操作部材３７は、それぞれ操作感が異なり、利用者の好みに応じて取り換えることができる。また、ここでは上記２例を例示したが、より多くの操作部材を用意してもよい。例えば、色違いとしてもよいし、各種装飾を施した操作部材としてもよい。
【００５０】
以上説明したように、第３実施形態によれば、複数の操作部材を容易に着脱自在に構成したので、操作部材を利用者の好みに応じて取り換えることができる。よって、より操作性を向上させることや、より意匠性を高めること等、様々な目的で、操作部材のみを新たに作製して改良していくことが可能となる。この場合、操作部材は、開口量調整装置３０を製造した者（業者）に限らず、他の者（業者）によって作製されたものも、利用できる可能性があり、利用者及び当該業界の双方にとって、有益で発展的な展開が期待できる。
【００５１】
（変形形態）
以上説明した実施形態に限定されることなく、種々の変形や変更が可能であって、それらも本発明の範囲内である。
【００５２】
（１）各実施形態において、可動部材に厚さを持たせて異音が発生しない構成を例示した。これに限らず、例えば、可動部材をより薄い構成として、あえて可動部材を振動させることにより、異なる音響効果を得られるようにしてもよい。また、可動部材を薄い構成とすることにより、可動部材同士が重なって退避することが可能となり、装置の薄型化も図ることができる。
【００５３】
（２）各実施形態において、ギターのサウンドホールに開口量調整装置を設けた例を挙げて説明した。これに限らず、例えば、カホン等の打楽器のサウンドホールに本発明の開口量調整装置を設けてもよいし、スピーカーのサウンドホール（開口部）に本発明の開口量調整装置を設けてもよい。
【００５４】
なお、各実施形態及び変形形態は、適宜組み合わせて用いることもできるが、詳細な説明は省略する。また、本発明は以上説明した各実施形態によって限定されることはない。
【符号の説明】
【００５５】
１      ギター
２      サウンドホール
２ｂ    切り欠き部
１０    開口量調整装置
１１    カム部材
１１ａ  カム溝
１２    可動部材
１２ａ  カムピン
１２ｂ  ガイドリブ
１３    操作部材
１３ａ  ガイド溝
１３ｂ  操作つまみ部
１４    カバー部材
１４ａ  接合面
２０    開口量調整装置
２０ａ  形状
２１    カム部材
２１ａ  カム溝
２２    可動部材
２２ａ  カムピン
２２ｂ  ガイドリブ
２３    操作部材
２３ａ  ガイド溝
２３ｂ  操作つまみ部
２４    カバー部材
２５    取り付け部材
２５ａ  係合形状
２６    取り付け部材
２６ａ  爪部
２７    スペーサー
３０    開口量調整装置
３１    カム部材
３２    可動部材
３３    駆動力伝達部材
３３ａ  係合凸部
３３ｂ  磁石
３４    カバー部材
３６    操作部材
３６ａ  操作つまみ部
３７    操作部材
３７ａ  操作レバー部
１０１、１０２、１０３、１０４、１０５  可動部材
Ｂ      ビス
Ｍ      磁石
【図１】
2022001909.tif 000003
【図２】
2022001909.tif 000004
【図３】
2022001909.tif 000005
【図４】
2022001909.tif 000006
【図５】
2022001909.tif 000007
【図６】
2022001909.tif 000008
【図７】
2022001909.tif 000009
【図８】
2022001909.tif 000010
【図９】
2022001909.tif 000011
【図１０】
2022001909.tif 000012
【図１１】
2022001909.tif 000013
【図１２】
2022001909.tif 000014
【図１３】
2022001909.tif 000015
【図１４】
2022001909.tif 000016
【図１５】
2022001909.tif 000017
【図１６】
2022001909.tif 000018
【図１７】
2022001909.tif 000019
【図１８】
2022001909.tif 000020
【図１９】
2022001909.tif 000021
【図２０】
2022001909.tif 000022
【図２１】
2022001909.tif 000023
【図２２】
2022001909.tif 000024
【図２３】
2022001909.tif 000025
【図２４】
2022001909.tif 000026
【図２５】
2022001909.tif 000027
【図２６】
2022001909.tif 000028